(57)【特許請求の範囲】
【請求項１】
住宅における浴室の空気温度と前記浴室とは異なる特定箇所の空気温度を取得する温度取得手段と、
給湯器の操作に関する操作情報を取得する操作情報取得手段と、
前記住宅における前記浴室とは異なる箇所の空気を前記浴室へ送る送風機と、前記浴室の暖房を行う暖房機とを制御する空調制御手段と、を備え、
前記空調制御手段は、前記浴室の空気温度と前記特定箇所の空気温度との温度差に基づいて決定したヒ−トショックの注意レベルと、現時刻から前記操作情報に基づいて決定した入浴予定時刻までの時間とが、第１条件を満たす場合、前記送風機を稼働させ、前記第１条件とは異なる第２条件を満たす場合、前記暖房機を稼働させる、制御装置。
【請求項２】
前記注意レベルは、第１レベル、第２レベル及び第３レベルの順に前記ヒートショックの注意度合が高くなり、
前記第１条件は、前記注意レベルが第１レベルであり、現時刻から前記入浴予定時刻までの時間が予め定めた第１時間以上且つ予め定めた第２時間未満の場合か、又は、前記注意レベルが第２レベルであり、現時刻から前記入浴予定時刻までの時間が前記第２時間以上の場合に成立し、
前記第２条件は、前記注意レベルが第１レベルであり、現時刻から前記入浴予定時刻までの時間が前記第１時間未満の場合か、前記注意レベルが第２レベルであり、現時刻から前記入浴予定時刻までの時間が前記第２時間未満の場合か、又は、前記注意レベルが前記第３レベルの場合に成立する、請求項１に記載の制御装置。
【請求項３】
ユーザの生体情報を取得する生体情報取得手段をさらに備え、
前記空調制御手段は、前記浴室の空気温度と前記特定箇所の空気温度との温度差と、前記生体情報の変化量に基づいて前記注意レベルを決定する、請求項１又は２に記載の制御装置。
【請求項４】
給湯器と、
前記住宅における前記浴室とは異なる箇所の空気を前記浴室へ送る送風機と、
前記浴室の暖房を行う暖房機と、
前記請求項１から３の何れか１項に記載の制御装置と、を備える、空調システム。
【請求項５】
住宅における浴室の空気温度と前記浴室とは異なる特定箇所の空気温度を取得し、
給湯器の操作に関する操作情報を取得し、
前記浴室の空気温度と前記特定箇所の空気温度との温度差に基づいてヒ−トショックの注意レベルを決定し、
前記操作情報に基づいて入浴予定時刻を決定し、
前記注意レベルと、現時刻から前記入浴予定時刻までの時間とが、第１条件を満たす場合、前記住宅における前記浴室とは異なる箇所の空気を前記浴室へ送る送風機を稼働させ、前記第１条件とは異なる第２条件を満たす場合、前記浴室の暖房を行う暖房機を稼働させる、空調制御方法。
【請求項６】
コンピュータを、
住宅における浴室の空気温度と前記浴室とは異なる特定箇所の空気温度を取得する温度取得手段、
給湯器の操作に関する操作情報を取得する操作情報取得手段、
前記浴室の空気温度と前記特定箇所の空気温度との温度差に基づいて決定したヒ−トショックの注意レベルと、現時刻から前記操作情報に基づいて決定した入浴予定時刻までの時間とが、第１条件を満たす場合、前記住宅における前記浴室とは異なる箇所の空気を前記浴室へ送る送風機を稼働させ、前記第１条件とは異なる第２条件を満たす場合、前記浴室の暖房を行う暖房機を稼働させる空調制御手段、として機能させる、プログラム。
【発明の詳細な説明】
【技術分野】
【０００１】
本発明は、浴室の空気温度を調整する技術に関する。
【背景技術】
【０００２】
急激な温度変化によって、血圧が急激に上昇、下降したり、脈拍が早くなったりする現象（いわゆる、ヒートショック）が知られている。ヒートショックは、温度変化の大きい冬場の浴室で発生する危険性が高い。【０００３】
例えば、特許文献１には、このような浴室におけるヒートショックの発生を回避することを目的とした浴室暖房装置が提案されている。この浴室暖房装置では、浴室リモコンが備える温度センサの検出温度（即ち、浴室の空気温度）と浴湯の温度との温度差が許容温度差よりも大きいときに、浴室暖房機を動作させて浴室の暖房を行う。
【先行技術文献】
【特許文献】
【０００４】
【特許文献１】特開２０１４−２１４９８２号公報
【発明の概要】
【発明が解決しようとする課題】
【０００５】
上記のように異なる対象で検出された温度の差、あるいは、異なる場所で検出された空気温度の差のみを根拠として浴室の暖房を行う場合、長時間、ユーザが未入浴状態であっても、浴室暖房機により浴室の暖房が行われてしまうという懸念がある。そうすると、無用に電力が消費されるため、省エネルギーの観点からは好ましくない。【０００６】
なお、特許文献１には、浴室の暖房を開始する前に、暖房を実行するか否かについてユーザに照会し、ユーザが許可した場合に暖房を開始する構成も開示されている。しかしながら、かかる構成では、ユーザは、暖房を開始させるために、毎回、確認の操作をする必要があるため、利便的ではない。さらに、操作をし忘れた場合では、暖房が行われないため、ヒートショックの発生の回避が十分に図れないという問題がある。【０００７】
本発明は、上記課題を解決するためになされたものであり、消費電力の増加を抑制しつつ、浴室の空気温度を適切に調整することができる制御装置等を提供することを目的とする。
【課題を解決するための手段】
【０００８】
上記目的を達成するため、本発明に係る制御装置は、
住宅における浴室の空気温度と前記浴室とは異なる特定箇所の空気温度を取得する温度取得手段と、
給湯器の操作に関する操作情報を取得する操作情報取得手段と、
前記住宅における前記浴室とは異なる箇所の空気を前記浴室へ送る送風機と、前記浴室の暖房を行う暖房機とを制御する空調制御手段と、を備え、
前記空調制御手段は、前記浴室の空気温度と前記特定箇所の空気温度との温度差に基づいて決定したヒ−トショックの注意レベルと、現時刻から前記操作情報に基づいて決定した入浴予定時刻までの時間とが、第１条件を満たす場合、前記送風機を稼働させ、前記第１条件とは異なる第２条件を満たす場合、前記暖房機を稼働させる。
【発明の効果】
【０００９】
本発明によれば、消費電力の増加を抑制しつつ、浴室の空気温度を適切に調整することが可能となる。
【図面の簡単な説明】
【００１０】
【図１】本発明の実施の形態１に係る空調システムの構成を示す図
【図２】実施の形態１〜３に係る制御装置のハードウェア構成を示すブロック図
【図３】実施の形態１及び２に係る制御装置が備える二次記憶装置について説明するための図
【図４】実施の形態１〜３における操作情報テーブルについて説明するための図
【図５】実施の形態１〜３における操作情報テーブルについて説明するための図
【図６】実施の形態１〜３における温度情報テーブルについて説明するための図
【図７】実施の形態１〜３における時刻パターンテーブルについて説明するための図
【図８】実施の形態１及び２における注意レベルテーブルについて説明するための図
【図９】実施の形態１及び２に係る制御装置の機能構成を示すブロック図
【図１０】実施の形態１及び３における空調制御処理の手順を示すフローチャート
【図１１】本発明の実施の形態２に係る空調システムの構成を示す図
【図１２】実施の形態２における送風機について説明するための図
【図１３】実施の形態２における空調制御処理の手順を示すフローチャート
【図１４】本発明の実施の形態３に係る空調システムの構成を示す図
【図１５】実施の形態３に係る測定装置のハードウェア構成を示すブロック図
【図１６】実施の形態３に係る制御装置が備える二次記憶装置について説明するための図
【図１７】実施の形態３における生体情報テーブルについて説明するための図
【図１８】実施の形態３における注意レベルテーブルについて説明するための図
【図１９】実施の形態３に係る制御装置の機能構成を示すブロック図
【図２０】本発明の他の実施の形態に係る空調システムの構成を示す図
【発明を実施するための形態】
【００１１】
以下、本発明の実施の形態について図面を参照して詳細に説明する。
【００１２】
（実施の形態１）
図１に示す本発明の実施の形態１に係る空調システム１は、家屋Ｈにおける浴室の空調を行うシステムであり、制御装置２と、操作端末３と、電気給湯器４と、浴室暖房機５と、空調機６を備える。
【００１３】
制御装置２は、家屋Ｈ内の適切な場所に設置され、家屋Ｈ内に構築された無線ネットワーク（図示せず）を介して、電気給湯器４、浴室暖房機５及び空調機６と通信可能に接続する。制御装置２は、電気給湯器４、浴室暖房機５及び空調機６から得られる情報に基づいて、浴室暖房機５を制御する。制御装置２は、本実施の形態では、一般家庭で使用される電力の管理を行う、いわゆる、ＨＥＭＳ（Home Energy Management System）を構成するエネルギー管理コントローラである。制御装置２の詳細については後述する。
【００１４】
操作端末３は、押しボタン、タッチパネル、タッチパッド等の入力デバイスと、有機ＥＬディスプレイ、液晶ディスプレイ等の表示デバイスと、通信インタフェースを備えた、例えば、パーソナルコンピュータ、スマートフォン、タブレット端末、壁掛け式のリモコン等のスマートデバイスである。操作端末３は、制御装置２と、Ｗｉ−Ｆｉ（登録商標）、Ｗｉ−ＳＵＮ（登録商標）、有線ＬＡＮ等の周知の通信規格に則った通信を行う。操作端末３は、ユーザからの操作を受け付け、受け付けた操作内容を示す情報を制御装置２に送信する。また、操作端末３は、制御装置２から送信された、ユーザに提示するための情報を受信し、受信した情報を表示する。このように、操作端末３は、ユーザとのインタフェース（いわゆる、ユーザインタフェース）としての役割を担う。
【００１５】
電気給湯器４は、何れも図示しないが、給湯リモコンと、電気ヒータと、タンクを備え、タンク内の水を電気ヒータにより加熱することで予め設定された温度の湯を沸かす、いわゆる電気温水器である。電気給湯器４により沸かされた湯は、浴槽に供給されたり、浴室に配設されたシャワー及び蛇口などに供給される。ユーザは、浴室あるいは台所に設置される給湯リモコンを操作して、湯はりの開始、湯はりの予約、追焚き等の指令を入力することができる。
【００１６】
また、給湯リモコンは、無線通信インタフェースを備え、上記の無線ネットワークを介して、制御装置２と通信可能に接続する。この無線ネットワークは、例えば、エコーネットライト（ECHONET Lite）に準じたネットワークである。給湯リモコンは、ユーザにより新たな指令が入力されると、その旨を制御装置２に通知する。具体的には、給湯リモコンは、ユーザにより入力された指令の内容、即ち、電気給湯器４に対するユーザの操作を示す情報（以降、操作情報と称する。）を制御装置２に送信する。
【００１７】
浴室暖房機５は、本発明の空調手段に対応する。浴室暖房機５は、浴室の天井に埋め込まれたり、浴室の壁に掛けられる等の態様で設置され、浴室の暖房を行う。浴室暖房機５は、浴室の空気温度を計測する温度センサ５０と、何れも図示しないが、暖房リモコンと、電気ヒータと、ファンを備える。浴室暖房機５は、浴室の空気を吸い込み、吸い込んだ空気を電気ヒータにより加熱して浴室に送出することで、浴室の空気温度を予め設定された温度まで昇温する。
【００１８】
ユーザは、浴室入口に設置される暖房リモコンを操作して、暖房の開始又は停止の指令を入力したり、設定温度（即ち、目標温度）及び風力等を指定することができる。また、暖房リモコンは、無線通信インタフェースを備え、上述した無線ネットワークを介して、制御装置２と通信可能に接続する。これにより、浴室暖房機５に対して、制御装置２から、暖房の開始又は停止の指令を与えたり、設定温度（即ち、目標温度）及び風力等を指定することができる。
【００１９】
また、暖房リモコンは、制御装置２からの要求に応答して、浴室暖房機５の現在の動作状態を示す情報（以降、暖房機情報と称する。）を制御装置２に送信する。暖房機情報には、浴室暖房機５のＩＤ（identification）と、暖房中か否かを示すデータと、指定された設定温度を示すデータと、指定された風力を示すデータが含まれる。また、暖房リモコンは、制御装置２からの要求に応答して、浴室暖房機５のＩＤと、温度センサ５０により計測された浴室の空気温度を示すデータが含まれる情報（以降、第１温度情報）を制御装置２に送信する。
【００２０】
なお、暖房リモコンは、自発的に一定時間間隔（例えば、１分間隔）で、暖房機情報を制御装置２に送信してもよいし、第１温度情報を制御装置２に送信してもよい。
【００２１】
また、浴室暖房機５の本体に無線通信インタフェースを備える構成にして、浴室暖房機５の本体と制御装置２とが通信するようにしてもよい。
【００２２】
空調機６は、図示しない室外機と、室内機と、空調リモコンを備え、室内機が設置された部屋の冷房、暖房、除湿等の空調を行う一般的な空調機である。本実施の形態では、空調機６の室内機は、家屋Ｈにおけるリビングの壁に掛けられる態様で設置されている。
【００２３】
ユーザは、空調リモコンを操作して、上記の空調の開始又は停止の指令を入力したり、設定温度（即ち、目標温度）及び風力等を指定することができる。また、空調機６は、無線通信インタフェースを備え、上述した無線ネットワークを介して、制御装置２と通信可能に接続する。この無線通信インタフェースは、室内機、室外機、空調リモコンの何れかに設けられる。なお、空調機６は、外付けの通信アダプタ（図示せず）を介して、この無線ネットワークに接続されてもよい。この場合、通信アダプタは、空調機６の室内機と標準化されたシリアル通信規格に則ったインタフェースにて電気的に接続される。
【００２４】
制御装置２は、通信により、空調機６に対して、冷房、暖房又は除湿の開始又は停止の指令を与えたり、設定温度及び風力等を指定することができる。また、空調機６は、制御装置２からの要求に応答して、空調機６の現在の動作状態を示す情報（以降、空調機情報と称する。）を制御装置２に送信する。空調機情報には、空調機６のＩＤと、冷房中、暖房中、除湿中、停止中の何れかを示すデータと、指定された設定温度を示すデータと、指定された風力を示すデータが含まれる。
【００２５】
また、空調機６は、制御装置２からの要求に応答して、空調機６のＩＤと、空調機６が備える温度センサ６０により計測された空気温度を示すデータが含まれる情報（以降、第２温度情報）を制御装置２に送信する。温度センサ６０は、空調機６の室内機に設けられ、当該室内機が設置された部屋、即ち、リビングの空気温度を計測する。
【００２６】
なお、空調機６は、自発的に一定時間間隔（例えば、１分間隔）で、空調機情報を制御装置２に送信してもよいし、第２温度情報を制御装置２に送信してもよい。
【００２７】
制御装置２は、図２に示すように、プロセッサ２０と、通信インタフェース２１と、ＲＯＭ（Read Only Memory）２２と、ＲＡＭ（Random Access Memory）２３と、二次記憶装置２４を備える。これらの構成部は、バス２５を介して相互に接続される。プロセッサ２０は、この制御装置２を統括的に制御する。プロセッサ２０によって実現される制御装置２の機能の詳細については後述する。
【００２８】
通信インタフェース２１は、上述した無線ネットワークを介して電気給湯器４、浴室暖房機５、空調機６と無線通信するためのネットワークカードと、操作端末３と無線通信又は有線通信するためのネットワークカードを含んで構成される。
【００２９】
ＲＯＭ２２は、複数のファームウェア及びこれらのファームウェアの実行時に使用されるデータ等を記憶する。ＲＡＭ２３は、プロセッサ２０の作業領域として使用される。
【００３０】
二次記憶装置２４は、ＥＥＰＲＯＭ（Electrically Erasable Programmable Read-Only Memory）、フラッシュメモリ等の読み書き可能な不揮発性の半導体メモリ、ＨＤＤ（Hard Disk Drive）等から構成される。二次記憶装置２４は、図３に示すように、ヒートショック防止プログラム２４０と、操作情報テーブル２４１と、温度情報テーブル２４２と、時刻パターンテーブル２４３と、注意レベルテーブル２４４を記憶する。
【００３１】
なお、この他にも、二次記憶装置２４は、この家庭で消費される電力を管理するためのプログラムと、該プログラムの実行時に使用されるデータを記憶する。
【００３２】
ヒートショック防止プログラム２４０は、プロセッサ２０によって実行されるコンピュータプログラムである。ヒートショック防止プログラム２４０には、家屋Ｈの居住者であるユーザのヒートショックを防止するための処理が記述されている。
【００３３】
操作情報テーブル２４１は、電気給湯器４に対するユーザの操作と、当該操作の時刻が格納されたデータテーブルである。プロセッサ２０は、給湯リモコンからの前述した操作情報を受信すると、受信した時刻と、当該操作情報で示されるユーザの操作を操作情報テーブル２４１に格納する。なお、プロセッサ２０は、制御装置２が備える図示しない時計機能部から現在の時刻を取得する。
【００３４】
なお、給湯リモコンからの操作情報に、ユーザが操作した時刻が含まれている場合には、プロセッサ２０は、受信した操作情報から抽出した時刻を操作情報テーブル２４１に格納してもよい。
【００３５】
図４に、操作情報テーブル２４１の一例を示す。図４の例では、ユーザにより、１９時３０分に「湯はり開始」の操作が行われたことが示されている。ここで「湯はり」とは、ユーザが入浴できるように浴槽に湯をためることをいう。電気給湯器４に対するユーザの操作には、この他、「湯はり予約」と「追焚き」がある。「湯はり予約」とは、指定した時刻（以降、予約時刻と称する。）に入浴できるように電気給湯器４に自動で湯はりを行わせる操作をいう。ユーザの操作が「湯はり予約」の場合、給湯リモコンから送信される操作情報には、予約時刻も含まれている。この場合、プロセッサ２０は、操作情報テーブル２４１に、図５に示すように、予約時刻も格納する。また、「追焚き」とは、浴槽内の冷めた湯を再び設定温度まで沸かすことをいう。
【００３６】
温度情報テーブル２４２は、浴室暖房機５の温度センサ５０により計測された最新の空気温度と、空調機６の温度センサ６０により計測された最新の空気温度を保存するためのデータテーブルである。図６に、温度情報テーブル２４２の一例を示す。
【００３７】
プロセッサ２０は、定期的に同一のタイミングで、浴室暖房機５及び空調機６に対して、計測した温度の送信をそれぞれ要求する。これらの要求に応答して、浴室暖房機５及び空調機６から第１温度情報及び第２温度情報を受信すると、プロセッサ２０は、第１温度情報から浴室の空気温度を取得し、第２温度情報からリビングの空気温度を取得する。そして、プロセッサ２０は、第１温度情報及び第２温度情報を受信した時刻と、それぞれ取得した浴室及びリビングの空気温度を温度情報テーブル２４２に格納する。即ち、温度情報テーブル２４２の内容は、定期的に更新されることになる。
【００３８】
本実施の形態では、プロセッサ２０は、１分間隔且つ同一のタイミングで浴室暖房機５及び空調機６に対して、計測した温度の送信をそれぞれ要求する。浴室暖房機５からの第１温度情報を受信する時刻と、空調機６からの第２温度情報を受信する時刻の誤差は、理論上１秒未満となるため、受信時刻を１分単位で管理する場合には、無視できる範囲である。
【００３９】
なお、第１温度情報及び第２温度情報のそれぞれにおいて、空気温度を計測した時刻が含まれている場合には、プロセッサ２０は、受信した第１温度情報又は第２温度情報から抽出した時刻を温度情報テーブル２４２に格納してもよい。
【００４０】
時刻パターンテーブル２４３は、電気給湯器４に対するユーザの操作と、入浴予定時刻との関係が定義されたパターン（以降、時刻パターンと称する。）が複数登録されたデータテーブルである。入浴予定時刻とは、ユーザが入浴を開始することが予定される、換言すると、入浴の開始が推定される時刻である。本実施の形態では、図７に示すように、時刻パターンテーブル２４３には、３つの時刻パターンが登録されている。
【００４１】
図７において、Ｎｏ．１の時刻パターンでは、ユーザによる「湯はり開始」の操作が行われた場合の入浴予定時刻が、当該操作時刻から２０分後であることが示されている。また、Ｎｏ．２の時刻パターンでは、ユーザによる「湯はり予約」の操作が行われた場合の入浴予定時刻が、予約時刻であることが示されている。
【００４２】
また、Ｎｏ．３の時刻パターンでは、ユーザによる「追焚き」の操作が行われた場合の入浴予定時刻が、当該操作時刻から１０分後であることが示されている。
【００４３】
時刻パターンテーブル２４３への時刻パターンの登録は、制御装置２の設置時に工事担当者によって行われる。なお、ユーザにより、操作端末３を介して、時刻パターンテーブル２４３の内容を適宜更新できるようにしてもよい。
【００４４】
注意レベルテーブル２４４は、ヒートショックの要因となる条件毎に、ヒートショックに対する注意度合を示すレベル（以降、注意レベルと称する。）が設定されたデータテーブルである。注意レベルテーブル２４４において、注意レベルが高くなる程、ヒートショックの危険性が高くなることが示される。本実施の形態では、図８に示すように、注意レベルテーブル２４４には、１〜３までの３段階の注意レベルが設定されている。
【００４５】
図８において、リビングと浴室の空気温度の差（リビングの空気温度−浴室の空気温度）が１０℃以上の場合に、注意レベルが“３”となり最も高いことが示されている。そして、リビングと浴室の空気温度の差が５〜１０℃の場合に、注意レベルが“２”となり、リビングと浴室の空気温度の差が５℃以下の場合に、注意レベルが“１”となり最も低いことが示されている。
【００４６】
続いて、制御装置２の機能構成について説明する。制御装置２は、機能的には、図９に示すように、温度取得部２００と、操作情報取得部２０１と、空調制御部２０２を備える。これらの機能部は、プロセッサ２０が二次記憶装置２４に記憶されているヒートショック防止プログラム２４０を実行することで実現される。
【００４７】
温度取得部２００は、本発明の温度取得手段に対応する。温度取得部２００は、定期的に浴室暖房機５及び空調機６のそれぞれによって計測された空気温度を取得する。具体的には、温度取得部２００は、１分間隔且つ同一のタイミングで浴室暖房機５及び空調機６に対して、計測した温度の送信をそれぞれ要求する。これらの要求に応答して、浴室暖房機５及び空調機６から第１温度情報及び第２温度情報を受信すると、温度取得部２００は、第１温度情報から浴室の空気温度を取得し、第２温度情報からリビングの空気温度を取得する。そして、温度取得部２００は、第１温度情報及び第２温度情報を受信した時刻と、それぞれ取得した浴室及びリビングの空気温度を温度情報テーブル２４２に格納する。
【００４８】
操作情報取得部２０１は、本発明の操作情報取得手段に対応する。操作情報取得部２０１は、ユーザの操作が行われた際に電気給湯器４の給湯リモコンから送られてくる前述した操作情報を受信すると、当該操作情報で示されるユーザの操作を取得し、受信した時刻と対応付けて操作情報テーブル２４１に格納する。なお、操作情報取得部２０１は、定期的（例えば、３０秒毎）に電気給湯器４の給湯リモコンに対して、ユーザから新たな操作を受け付けたか否かの問合せを行ってもよい。この場合、電気給湯器４の給湯リモコンは、ユーザから新たな操作を受け付けた後、最初の上記の問合せを受信すると、当該新たな操作に係る操作情報を制御装置２に送信すればよい。
【００４９】
空調制御部２０２は、本発明の空調制御手段に対応する。空調制御部２０２は、現在のヒ−トショックの注意レベルと、現時刻から入浴予定時刻までの時間が、予め定めた条件を満たす場合、浴室暖房機５を稼働させて、浴室の空気温度を上昇させる。以下、空調制御部２０２の機能の詳細について説明する。
【００５０】
空調制御部２０２は、注意レベル決定部２０２０と、入浴予定時刻決定部２０２１と、空調要否判別部２０２２と、制御コマンド送信部２０２３を有する。
【００５１】
注意レベル決定部２０２０は、温度情報テーブル２４２に格納されている浴室及びリビングの最新の空気温度と、注意レベルテーブル２４４に基づいて、現在の注意レベルを決定する。具体的には、先ず、注意レベル決定部２０２０は、リビングの空気温度から浴室の空気温度を差し引くことで、リビングと浴室の空気温度の差を算出する。そして、注意レベル決定部２０２０は、注意レベルテーブル２４４を参照して、算出した空気温度の差に対応する数値を現在の注意レベルとして決定する。
【００５２】
入浴予定時刻決定部２０２１は、操作情報テーブル２４１と、時刻パターンテーブル２４３に基づいて、ユーザが入浴を開始することが予定される入浴予定時刻を決定する。先ず、入浴予定時刻決定部２０２１は、操作情報テーブル２４１からユーザの操作と、操作時刻を取得する。そして、入浴予定時刻決定部２０２１は、取得したユーザの操作に対応する時刻パターンを時刻パターンテーブル２４３から選択する。
【００５３】
具体的には、入浴予定時刻決定部２０２１は、ユーザの操作が「湯はり開始」の場合、時刻パターンテーブル２４３から、Ｎｏ．１の時刻パターンを選択し、ユーザの操作が「湯はり予約」の場合、時刻パターンテーブル２４３から、Ｎｏ．２の時刻パターンを選択し、ユーザの操作が「追焚き」の場合、時刻パターンテーブル２４３から、Ｎｏ．３の時刻パターンを選択する。
【００５４】
ユーザの操作が「湯はり開始」又は「追焚き」の場合、入浴予定時刻決定部２０２１は、選択した時刻パターンと、操作時刻から入浴予定時刻を決定する。例えば、ユーザの操作が「湯はり開始」であり、操作時刻が１９時３０分の場合、入浴予定時刻は、１９時５０分となる。また、ユーザの操作が「追焚き」であり、操作時刻が１９時３０分の場合、入浴予定時刻は、１９時４０分となる。
【００５５】
ユーザの操作が「湯はり予約」の場合では、選択される時刻パターンには、図７に示すように、入浴予定時刻は予約時間であることが定義されている。このため、入浴予定時刻決定部２０２１は、操作情報テーブル２４１から取得したユーザの操作に含まれる予約時間（例えば、２０時）を入浴予定時刻として決定する。
【００５６】
空調要否判別部２０２２は、注意レベル決定部２０２０により決定された注意レベルと、入浴予定時刻決定部２０２１により決定された入浴予定時刻と、現時刻に基づいて、浴室の空調の要否を判別する。
【００５７】
より詳細には、空調要否判別部２０２２は、注意レベルと、現時刻から入浴予定時刻までの時間が以下の（１）〜（３）の何れかの条件を満たす場合に浴室の空調が必要であると判別する。
（１）注意レベルが“３”であり、且つ、現時刻から入浴予定時刻までの時間が１５分未満である。
（２）注意レベルが“２”であり、且つ、現時刻から入浴予定時刻までの時間が１０分未満である。
（３）注意レベルが“１”であり、且つ、現時刻から入浴予定時刻までの時間が５分未満である。
【００５８】
制御コマンド送信部２０２３は、空調要否判別部２０２２により浴室の空調が必要であると判別されると、浴室暖房機５を稼働させる、即ち、浴室暖房機５に暖房の開始を指示する。具体的には、制御コマンド送信部２０２３は、暖房開始を指示する制御コマンドを浴室暖房機５の暖房リモコンに送信する。これにより、浴室暖房機５は浴室の暖房を開始する。
【００５９】
図１０は、制御装置２の空調制御部２０２によって実行される空調制御処理の手順を示すフローチャートである。この空調制御処理は、事前にユーザによってヒートショック防止プログラム２４０の起動がオンに設定されている場合に、予め定めた時間間隔（本実施の形態では、１分）で実行される。
【００６０】
ステップＳ１０１では、注意レベル決定部２０２０が、上述のようにして現在の注意レベルを決定する。
【００６１】
ステップＳ１０２では、入浴予定時刻決定部２０２１が、上述のようにして入浴予定時刻を決定する。
【００６２】
ステップＳ１０３では、空調要否判別部２０２２が、現時刻から入浴予定時刻まで１５分未満であるか否かを判別する。その結果、現時刻から入浴予定時刻まで１５分未満でない場合（ステップＳ１０３；ＮＯ）、空調制御部２０２は、本周期での空調制御処理を終了する。
【００６３】
一方、現時刻から入浴予定時刻まで１５分未満である場合（ステップＳ１０３；ＹＥＳ）、空調要否判別部２０２２は、注意レベルの値を判別する（ステップＳ１０４）。注意レベルが“３”、即ち、ヒートショックの危険性が“高”の場合、空調要否判別部２０２２は、浴室の空調の必要があると判別する。制御コマンド送信部２０２３は、空調要否判別部２０２２により浴室の空調が必要であると判別されると、浴室暖房機５に暖房開始を指示する（ステップＳ１０５）。より詳細には、制御コマンド送信部２０２３は、暖房開始を指示する制御コマンドを浴室暖房機５の暖房リモコンに送信する。これにより、浴室暖房機５によって浴室の暖房が開始される。
【００６４】
注意レベルが“２”、即ち、ヒートショックの危険性が“中”の場合、空調要否判別部２０２２は、現時刻から入浴予定時刻まで１０分未満であるか否かを判別する（ステップＳ１０６）。その結果、現時刻から入浴予定時刻まで１０分未満でない場合（ステップＳ１０６；ＮＯ）、空調制御部２０２は、本周期での空調制御処理を終了する。
【００６５】
一方、現時刻から入浴予定時刻まで１０分未満である場合（ステップＳ１０６；ＹＥＳ）、空調要否判別部２０２２は、浴室の空調の必要があると判別する。これにより、制御コマンド送信部２０２３は、浴室暖房機５に暖房開始を指示する（ステップＳ１０５）。
【００６６】
注意レベルが“１”、即ち、ヒートショックの危険性が“低”の場合、空調要否判別部２０２２は、現時刻から入浴予定時刻まで５分未満であるか否かを判別する（ステップＳ１０７）。その結果、現時刻から入浴予定時刻まで５分未満でない場合（ステップＳ１０７；ＮＯ）、空調制御部２０２は、本周期での空調制御処理を終了する。
【００６７】
一方、現時刻から入浴予定時刻まで５分未満である場合（ステップＳ１０７；ＹＥＳ）、空調要否判別部２０２２は、浴室の空調の必要があると判別する。これにより、制御コマンド送信部２０２３は、浴室暖房機５に暖房開始を指示する（ステップＳ１０５）。
【００６８】
なお、ステップＳ１０５において、さらに、制御コマンド送信部２０２３は、浴室暖房機５が稼働中か否かを判別し、稼働中でない（換言すると、暖房中でない）場合に限り、浴室暖房機５に暖房開始を指示する制御コマンドを送信するようにしてもよい。
【００６９】
以上説明したように、本発明の実施の形態１に係る空調システム１では、制御装置２は、電気給湯器４に対するユーザの操作に基づいてユーザの入浴予定時刻を決定し、浴室及びリビングの空気温度の差に基づいてヒートショックに対する注意レベルを決定する。そして、制御装置２は、決定した注意レベルと、現時刻から決定した入浴予定時刻までの時間に基づいて浴室の空調の要否を判別し、空調の必要があると判別した場合に浴室暖房機５を稼働させる。
【００７０】
このため、無用に浴室暖房機５を稼働させることがなく、消費電力の増加を抑制することができる。また、浴室及びリビングの空気温度の差に基づいて決定したヒートショックに対する注意レベルも勘案して浴室の空調の要否を判別するため、ユーザが入浴するまでに浴室の空気温度を適切に調整することができ、ヒートショックの発生を効果的に抑制することができる。
【００７１】
（実施の形態２）
続いて、本発明の実施の形態２について説明する。なお、以下の説明において、実施の形態１と共通する構成要素等については、同一の符号を付し、その説明を省略する。
【００７２】
図１１に、実施の形態２の空調システム１Ａの構成を示す。空調システム１Ａには、実施の形態の空調システム１の構成に、さらに、送風機７が追加されている。
【００７３】
送風機７は、例えば、ＤＣファンモータ等によって駆動される遠心ファン又は多翼ファン等である。送風機７は、電気給湯器４、浴室暖房機５、空調機６と同様に、前述した無線ネットワークを介して、制御装置２と通信可能に接続する。送風機７の駆動の開始及び停止は、制御装置２からの指令に基づいて切り替えられる。
【００７４】
送風機７は、図１２に示すように、家屋Ｈの天井裏に配設されたダクト８に設けられている。ダクト８の一端は、リビングの天上面に設けられた吸込口に連結されており、他端は、浴室の天上面に設けられた吹出口に連結されている。送風機７が駆動、即ち、回転を開始すると、リビングの空気が吸込口から吸い込まれ、ダクト８内を搬送され、吹出口から吹き出され、浴室内へ流入する。
【００７５】
リビングの空気は、空調機６により適温に暖められているため、リビングの空気を浴室へ搬送することで、浴室の空気温度を上昇させることができる。つまり、本実施の形態では、浴室暖房機５と送風機７が、本発明の空調手段に対応する。
【００７６】
本実施の形態において、制御装置２のハードウェア構成及び機能構成は、実施の形態１の制御装置２と同様である（図２、図９参照）。また、本実施の形態において、制御装置２が備える二次記憶装置２４には、実施の形態１と同様に、ヒートショック防止プログラム２４０と、操作情報テーブル２４１と、温度情報テーブル２４２と、時刻パターンテーブル２４３と、注意レベルテーブル２４４が記憶される（図３参照）。
【００７７】
ただし、本実施の形態の空調制御部２０２による処理の一部が、実施の形態１における空調制御部２０２と異なる。本実施の形態における空調制御部２０２の空調要否判別部２０２２は、注意レベル決定部２０２０により決定された注意レベルと、入浴予定時刻決定部２０２１により決定された入浴予定時刻と、現時刻とに基づいて、浴室暖房機５による空調の要否と、送風機７による空調の要否を判別する。
【００７８】
本実施の形態の空調要否判別部２０２２は、実施の形態１と同様、注意レベルと、現時刻から入浴予定時刻までの時間とが以下の（１）〜（３）の何れかの条件を満たす場合に、浴室暖房機５による浴室の空調が必要であると判別する。
（１）注意レベルが“３”であり、且つ、現時刻から入浴予定時刻までの時間が１５分未満である。
（２）注意レベルが“２”であり、且つ、現時刻から入浴予定時刻までの時間が１０分未満である。
（３）注意レベルが“１”であり、且つ、現時刻から入浴予定時刻までの時間が５分未満である。
【００７９】
また、本実施の形態の空調要否判別部２０２２は、注意レベルと、現時刻から入浴予定時刻までの時間とが以下の（１）、（２）の何れかの条件を満たす場合に、送風機７による浴室の空調が必要であると判別する。
（１）注意レベルが“２”であり、且つ、現時刻から入浴予定時刻までの時間が１０分以上である。
（２）注意レベルが“１”であり、且つ、現時刻から入浴予定時刻までの時間が５分以上１０分未満である。
【００８０】
本実施の形態の制御コマンド送信部２０２３は、空調要否判別部２０２２により、浴室暖房機５による浴室の空調が必要であると判別されると、浴室暖房機５に暖房の開始を指示する。また、制御コマンド送信部２０２３は、空調要否判別部２０２２により、送風機７による浴室の空調が必要であると判別されると、送風機７を稼働させる、即ち、送風機７に送風の開始を指示する。具体的には、制御コマンド送信部２０２３は、送風開始を指示する制御コマンドを送風機７に送信する。これにより、送風機７は、稼働、即ち、回転を開始し、リビングの空気が浴室へ送風される。
【００８１】
図１３は、本実施の形態に係る制御装置２の空調制御部２０２によって実行される空調制御処理の手順を示すフローチャートである。この空調制御処理は、実施の形態１と同様、事前にユーザによってヒートショック防止プログラム２４０の起動がオンに設定されている場合に、予め定めた時間間隔（本実施の形態では、１分）で実行される。
【００８２】
ステップＳ２０１では、注意レベル決定部２０２０が現在の注意レベルを決定し、ステップＳ２０２では、入浴予定時刻決定部２０２１が入浴予定時刻を決定する。
【００８３】
ステップＳ２０３では、空調要否判別部２０２２が、現時刻から入浴予定時刻まで１５分未満であるか否かを判別する。その結果、現時刻から入浴予定時刻まで１５分未満でない場合（ステップＳ２０３；ＮＯ）、空調制御部２０２は、本周期での空調制御処理を終了する。
【００８４】
一方、現時刻から入浴予定時刻まで１５分未満である場合（ステップＳ２０３；ＹＥＳ）、空調要否判別部２０２２は、注意レベルの値を判別する（ステップＳ２０４）。注意レベルが“３”、即ち、ヒートショックの危険性が“高”の場合、空調要否判別部２０２２は、浴室暖房機５による浴室の空調の必要があると判別する。この場合、制御コマンド送信部２０２３は、浴室暖房機５に暖房開始を指示する（ステップＳ２０５）。これにより、浴室暖房機５によって浴室の暖房が開始される。
【００８５】
注意レベルが“２”、即ち、ヒートショックの危険性が“中”の場合、空調要否判別部２０２２は、現時刻から入浴予定時刻まで１０分未満であるか否かを判別する（ステップＳ２０６）。その結果、現時刻から入浴予定時刻まで１０分未満でない場合（ステップＳ２０６；ＮＯ）、空調要否判別部２０２は、送風機７による浴室の空調の必要があると判別する。この場合、制御コマンド送信部２０２３は、送風機７に送風開始を指示する（ステップＳ２０７）。より詳細には、制御コマンド送信部２０２３は、送風開始を指示する制御コマンドを送風機７に送信する。これにより、送風機７が駆動、即ち、回転を開始し、リビングの空気が浴室へ送風される。
【００８６】
一方、現時刻から入浴予定時刻まで１０分未満である場合（ステップＳ２０６；ＹＥＳ）、空調要否判別部２０２２は、浴室暖房機５による浴室の空調の必要があると判別し、制御コマンド送信部２０２３は、浴室暖房機５に暖房開始を指示する（ステップＳ２０５）。
【００８７】
注意レベルが“１”、即ち、ヒートショックの危険性が“低”の場合、空調要否判別部２０２２は、現時刻から入浴予定時刻まで５分未満であるか否かを判別する（ステップＳ２０８）。その結果、現時刻から入浴予定時刻まで５分未満である場合（ステップＳ２０８；ＹＥＳ）、空調要否判別部２０２２は、浴室暖房機５による浴室の空調の必要があると判別し、制御コマンド送信部２０２３は、浴室暖房機５に暖房開始を指示する（ステップＳ２０５）。
【００８８】
現時刻から入浴予定時刻まで５分未満でない、即ち、現時刻から入浴予定時刻まで５分以上である場合（ステップＳ２０８；ＮＯ）、空調要否判別部２０２２は、現時刻から入浴予定時刻まで１０分未満であるか否かを判別する（ステップＳ２０９）。その結果、現時刻から入浴予定時刻まで１０分未満である場合（ステップＳ２０９；ＹＥＳ）、空調要否判別部２０２は、送風機７による浴室の空調の必要があると判別する。この場合、制御コマンド送信部２０２３は、送風機７に送風開始を指示する（ステップＳ２０７）。
【００８９】
一方、現時刻から入浴予定時刻まで１０分未満でない、即ち、現時刻から入浴予定時刻まで１０分以上である場合（ステップＳ２０９；ＮＯ）、空調制御部２０２は、本周期での空調制御処理を終了する。
【００９０】
以上説明したように、本発明の実施の形態２に係る空調システム１Ａは、リビングの空気を浴室に送風する構成を備える。通常、入浴の時間帯において、リビングの空気は、空調機６により暖房されていることが想定される。このため、浴室暖房機５を稼働させずに、浴室の空気温度を調整することが可能となり、省エネルギー効果がさらに図れる。
【００９１】
（実施の形態３）
続いて、本発明の実施の形態３について説明する。なお、以下の説明において、実施の形態１と共通する構成要素等については、同一の符号を付し、その説明を省略する。
【００９２】
図１４に、実施の形態３の空調システム１Ｂの構成を示す。空調システム１Ｂには、実施の形態の空調システム１の構成に、さらに、測定装置９が追加されている。測定装置９は、この家屋Ｈのユーザ（生活者）の生体情報を測定する人体装着型（例えば、リストバンド型）の装置である。ここで生体情報とは、例えば、血圧、心拍数、体表温等、いわゆるバイタルサインと称される情報である。
【００９３】
測定装置９は、図１５に示すように、プロセッサ９０と、通信インタフェース９１と、生体情報センサ９２と、ＲＯＭ９３と、ＲＡＭ９４と、二次記憶装置９５を備える。これらの構成部は、バス９６を介して相互に接続される。プロセッサ９０は、この測定装置９を統括的に制御する。また、測定装置９は、各構成部に電力を供給する一次電池、二次電池等の電池９７を備える。
【００９４】
通信インタフェース９１は、家屋Ｈ内に構築された前述の無線ネットワークを介して、制御装置２と無線通信するためのＩＣチップを含んで構成される。生体情報センサ９２は、生活者の生体情報（例えば、血圧、心拍数及び体表温等）を測定する。
【００９５】
ＲＯＭ９３は、複数のファームウェア及びこれらのファームウェアの実行時に使用されるデータ等を記憶する。ＲＡＭ９４は、プロセッサ９０の作業領域として使用される。
【００９６】
二次記憶装置９５は、ＥＥＰＲＯＭ、フラッシュメモリ等の読み書き可能な不揮発性の半導体メモリで構成される。二次記憶装置９５は、図示しないが、生体情報の測定に関するプログラムと制御装置２と通信するためのプログラム及びこれらのプログラムの実行時に使用されるデータを記憶する。
【００９７】
プロセッサ９０は、生体情報センサ９２により測定された生体情報を一定時間間隔（例えば、１分間隔）で通信インタフェース９１を介して制御装置２に無線送信する。
【００９８】
本実施の形態において、制御装置２のハードウェア構成は、実施の形態１の制御装置２と同様である（図２参照）。ただし、本実施の形態において、制御装置２が備える二次記憶装置２４に記憶される内容は、実施の形態１の二次記憶装置２４と相違する。
【００９９】
図１６に示すように、本実施の形態の二次記憶装置２４は、ヒートショック防止プログラム２４０と、操作情報テーブル２４１と、温度情報テーブル２４２と、生体情報テーブル２４５と、時刻パターンテーブル２４３と、注意レベルテーブル２４４Ａを記憶する。
【０１００】
生体情報テーブル２４５は、測定装置９により測定されたユーザの生体情報の履歴を保存するためのデータテーブルである。生体情報テーブル２４５には、予め定めた時間分（例えば、１０分間分）の生体情報の履歴がサイクリックに格納されている。図１７に、生体情報テーブル２４５の一例を示す。なお、本実施の形態での心拍数は、１分間の拍動の数を示す。
【０１０１】
注意レベルテーブル２４４Ａには、実施の形態１の注意レベルテーブル２４４（図８参照）と同様、リビングと浴室の空気温度の差に応じて、１〜３までの３段階の注意レベルが設定されている。さらに、注意レベルテーブル２４４Ａでは、図１８に示すように、注意レベルはユーザの生体情報の変化量にも対応付けられている。
【０１０２】
図１８において、血圧の６分間あたりの変化量が、±９０ｍｍＨｇ以上の場合は、注意レベルが“３”となり、±６０〜９０ｍｍＨｇの場合は、注意レベルが“２”となり、±３０〜６０ｍｍＨｇの場合は、注意レベルが“１”となることが示されている。
【０１０３】
また、心拍数の１分間あたりの変化量（より詳細には、上昇量）が、３０ｂｐｍ以上の場合は、注意レベルが“２”となり、２０〜３０ｂｐｍの場合は、注意レベルが“１”となることが示されている。さらに、体表温の１分間あたりの変化量（より詳細には、下降量）が、１０℃以上の場合は、注意レベルが“２”となり、５〜１０℃の場合は、注意レベルが“１”となることが示されている。
【０１０４】
次に、本実施の形態における制御装置２の機能構成について説明する。本実施の形態の制御装置２は、図１９に示すように、温度取得部２００と、操作情報取得部２０１と、生体情報取得部２０３と、空調制御部２０２を備える。このように、本実施の形態における制御装置２の機能構成には、生体情報取得部２０３が追加されている。
【０１０５】
生体情報取得部２０３は、本発明の生体情報取得手段に対応する。生体情報取得部２０３は、測定装置９から定期的（例えば、１分毎）に送られてくる前述した生体情報を受信することで取得する。生体情報取得部２０３は、取得した生体情報を取得した時刻（即ち、受信した時刻）と対応付けて生体情報テーブル２４５にサイクリックに格納する。なお、測定装置９からの生体情報に、測定時刻が含まれている場合には、生体情報取得部２０３は、当該測定時刻を生体情報テーブル２４５に格納してもよい。
【０１０６】
空調制御部２０２の注意レベル決定部２０２０は、温度情報テーブル２４２に格納されている浴室及びリビングの最新の空気温度と、生体情報テーブル２４５に保存されてる生体情報の履歴と、注意レベルテーブル２４４Ａに基づいて、現在の注意レベルを決定する。
【０１０７】
具体的には、先ず、注意レベル決定部２０２０は、実施の形態１と同様、リビングの空気温度から浴室の空気温度を差し引くことで、リビングと浴室の空気温度の差を算出する。そして、注意レベル決定部２０２０は、注意レベルテーブル２４４Ａを参照して、算出した空気温度の差に対応する数値を現在の注意レベルとして仮決定、即ち、暫定的に決定する。以下、このように、リビングと浴室の空気温度の差のみに基づいて決定した注意レベルを第１注意レベルと称する。
【０１０８】
また、注意レベル決定部２０２０は、第１注意レベルの決定とは別に、生体情報の変化量に基づいた注意レベルの決定も行う。具体的には、注意レベル決定部２０２０は、生体情報テーブル２４５に保存されてる生体情報の履歴から、血圧の６分間あたりの変化量、心拍数の１分間あたりの変化量（上昇量）及び体表温の１分間あたりの変化量（下降量）を算出する。そして、注意レベル決定部２０２０は、注意レベルテーブル２４４Ａを参照して、算出したそれぞれの変化量に対応する数値のうち、最も大きい値を現在の注意レベルとして仮決定する。
【０１０９】
例えば、血圧の６分間あたりの変化量が±９０ｍｍＨｇ以上であり、心拍数の１分間あたりの変化量が３０ｂｐｍ以上であり、体表温の１分間あたりの変化量が５〜１０℃である場合、注意レベル決定部２０２０は、“３”を現在の注意レベルとして仮決定する。以下、このように、生体情報の変化量のみに基づいて決定した注意レベルを第２注意レベルと称する。
【０１１０】
注意レベル決定部２０２０は、上記のように決定した第１及び第２注意レベルを比較し、大きい方を現在の注意レベルとして正式に決定する。
【０１１１】
本実施の形態における空調制御部２０２の他の構成部（入浴予定時刻決定部２０２１、空調要否判別部２０２２、制御コマンド送信部２０２３）の機能については、実施の形態１と同様である。
【０１１２】
以上説明したように、本発明の実施の形態３に係る空調システム１Ｂでは、制御装置２は、ユーザの生体情報の変化も勘案して安全レベルを決定する。このため、決定した入浴予定時刻と実際の入浴時刻との間にズレが生じた場合であっても、浴室の温度を適切に調整できるため、ヒートショック防止の一層の効果が期待できる。
【０１１３】
本発明は、上記の各実施の形態に限定されず、本発明の要旨を逸脱しない範囲での種々の変更は勿論可能である。
【０１１４】
例えば、上記の各実施の形態では、制御装置２は、浴室暖房機５から浴室の空気温度を取得し、空調機６からリビングの空気温度を取得した。しかし、浴室暖房機５とは別個の温度センサ（第１温度センサという。）を浴室に設置し、空調機６とは別個の温度センサ（第２温度センサという。）をリビングに設置して、第１温度センサ及び第２温度センサのそれぞれと制御装置２を通信可能に接続してもよい。この場合、制御装置２は、第１温度センサから浴室の空気温度を取得し、空調機６からリビングの空気温度を取得する。
【０１１５】
また、空調システム１，１Ａ，１Ｂにおいて、さらに外気温を計測する温度センサを備えるようにして、各制御装置２は、外気温を勘案して注意レベルを決定してもよい。
【０１１６】
また、本発明における特定個所は、リビングに限定されず、例えば、寝室、客間等であってもよい。
【０１１７】
また、実施の形態２の空調システム１Ａにおいて、リビング以外の箇所の空気が、送風機７によって浴室に送られる構成を採用してもよい。
【０１１８】
また、実施の形態２の空調システム１Ａにおいて、浴室暖房機５を設けず、送風機７のみによって浴室の空気温度の調整を行うようにしてもよい。この場合、上記の第１温度センサを浴室に設置すればよい。
【０１１９】
また、操作端末３を操作することで、ユーザが強制的に、浴室暖房機５又は送風機７を稼働させて、浴室の暖房を開始させてもよい。
【０１２０】
また、制御装置２が、ユーザからの操作を受け付けるための入力デバイスと、ユーザに情報を提示するための表示デバイスをさらに含んで構成されるようにしてもよい。
【０１２１】
上記の各実施の形態では、制御装置２が家屋Ｈに設置された場合について説明したが、制御装置２と同等の機能を有する装置を家屋Ｈの外に設置するようにしてもよい。
【０１２２】
この場合の例を図２０に示す。この例における空調システム１Ｃでは、家屋Ｈには、制御装置２の代わりにルータ１０が設置されている。一方、家屋Ｈの外には、ルータ１０とインターネットを介して通信可能に接続されるサーバ１１が設置されている。この場合、ルータ１０とサーバ１１とが協調して制御装置２と同等の役割を果たす。
【０１２３】
上記の各実施の形態では、プロセッサ２０によって二次記憶装置２４に記憶されているヒートショック防止プログラム２４０が実行されることで、制御装置２の各機能部（図９、図１９参照）が実現された。しかし、制御装置２の機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせ等である。
【０１２４】
上記の各実施の形態において、ヒートショック防止プログラム２４０は、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布したヒートショック防止プログラム２４０を特定の又は汎用のコンピュータにインストールすることによって、当該コンピュータを上記の各実施の形態における制御装置２として機能させることも可能である。
【０１２５】
また、ヒートショック防止プログラム２４０をインターネット上のサーバ（例えば、図２０のサーバ１１）が有するディスク装置等に格納しておき、当該サーバからコンピュータにヒートショック防止プログラム２４０がダウンロードされるようにしてもよい。
【０１２６】
本発明は、広義の精神と範囲を逸脱することなく、様々な実施の形態及び変形が可能である。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【０１２７】
本発明は、入浴の際のヒートショックの発生を防止する技術に好適に採用され得る。
【符号の説明】
【０１２８】
１，１Ａ〜１Ｃ  空調システム、２  制御装置、３  操作端末、４  電気給湯器、５  浴室暖房機、６  空調機、７  送風機、８  ダクト、９  測定装置、１０  ルータ、１１  サーバ、２０，９０  プロセッサ、２１，９１  通信インタフェース、２２，９３  ＲＯＭ、２３，９４  ＲＡＭ、２４，９５  二次記憶装置、２５，９６  バス、５０，６０  温度センサ、９２  生体情報センサ、９７  電池、２００  温度取得部、２０１  操作情報取得部、２０２  空調制御部、２０３  生体情報取得部、２４０  ヒートショック防止プログラム、２４１  操作情報テーブル、２４２  温度情報テーブル、２４３  時刻パターンテーブル、２４４，２４４Ａ  注意レベルテーブル、２４５  生体情報テーブル、２０２０  注意レベル決定部、２０２１  入浴予定時刻決定部、２０２２  空調要否判別部、２０２３  制御コマンド送信部
【図１】
0006584695.tif 000002
【図２】
0006584695.tif 000003
【図３】
0006584695.tif 000004
【図４】
0006584695.tif 000005
【図５】
0006584695.tif 000006
【図６】
0006584695.tif 000007
【図７】
0006584695.tif 000008
【図８】
0006584695.tif 000009
【図９】
0006584695.tif 000010
【図１０】
0006584695.tif 000011
【図１１】
0006584695.tif 000012
【図１２】
0006584695.tif 000013
【図１３】
0006584695.tif 000014
【図１４】
0006584695.tif 000015
【図１５】
0006584695.tif 000016
【図１６】
0006584695.tif 000017
【図１７】
0006584695.tif 000018
【図１８】
0006584695.tif 000019
【図１９】
0006584695.tif 000020
【図２０】
0006584695.tif 000021